(57)【特許請求の範囲】
【請求項１】
音声通信装置を収容し、当該音声通信装置をＩＰ網に接続するＶｏＩＰ（Voice over IP）通信装置であって、
通信相手の電話番号に対応付けて、ＩＰアドレスを一以上記憶する対応記憶手段と、
自身が収容する音声通信装置から発呼を受け付けた場合に、当該呼の通信相手の電話番号に対応付けられているＩＰアドレスを前記対応記憶手段から抽出し、抽出したＩＰアドレスを用いた呼制御メッセージを前記ＩＰ網へ送信する呼制御手段と
を備え、
前記呼制御手段は、
自身が収容する音声通信装置からの呼の通信相手の電話番号にＩＰアドレスが複数対応付けられている場合に、当該複数のＩＰアドレスの中でいずれか１つを選択し、選択したＩＰアドレスを用いた呼制御メッセージを送信し、当該呼の接続が拒否された場合に、当該複数のＩＰアドレスの中で未選択のＩＰアドレスを１つ選択し、再び、選択したＩＰアドレスを用いた呼制御メッセージを送信するスライド発信処理を実行し、
前記スライド発信処理の間、発信元の音声通信装置に対して、スライド発信処理中であることを示す信号を送出することを特徴とするＶｏＩＰ通信装置。
【請求項２】
音声通信装置を収容するＶｏＩＰ（Voice over IP）通信装置からの依頼に従い、当該ＶｏＩＰ通信装置に代わって呼制御手順を実行するゲートキーパであって、
音声通信装置の電話番号に対応付けて、当該音声通信装置を収容するＶｏＩＰ通信装置のＩＰアドレスを一以上記憶する対応記憶手段と、
あるＶｏＩＰ通信装置から発信先番号を含む発呼メッセージを受け付けた場合に、当該発信先番号に対応付けられているＩＰアドレスを前記対応記憶手段から抽出し、抽出したＩＰアドレスに対応する他のＶｏＩＰ通信装置へ、ＩＰパケットを用いて呼制御メッセージを送信する呼制御手段と
を備え、
前記呼制御手段は、
あるＶｏＩＰ通信装置から受け付けた発呼メッセージに含まれている発信先番号にＩＰアドレスが複数対応付けられている場合に、当該複数のＩＰアドレスの中でいずれか１つを選択し、選択したＩＰアドレスに対応する他のＶｏＩＰ通信装置へ、ＩＰパケットを用いて呼制御メッセージを送信し、当該他のＶｏＩＰ通信装置によって呼の接続が拒否された場合に、当該複数のＩＰアドレスの中で未選択のＩＰアドレスを１つ選択し、再び、選択したＩＰアドレスに対応するさらに他のＶｏＩＰ通信装置へ、ＩＰパケットを用いて呼制御メッセージを送信する処理を、当該複数のＩＰアドレスに対応する全ての他のＶｏＩＰ通信装置に呼制御メッセージを送信するか、または、他のＶｏＩＰ通信装置によって呼の接続が許可されるまで繰り返すスライド発信処理を実行し、
前記スライド発信処理の間、発呼メッセージの発信元のＶｏＩＰ通信装置に対して、スライド発信処理中であることを示す音声信号を送出することを特徴とするゲートキーパ。
【請求項３】
音声通信装置を収容し、当該音声通信装置と通信相手の音声通信装置とのＩＰ網を介した通信を中継するＶｏＩＰ（Voice over IP）通信装置における呼制御方法であって、
前記ＶｏＩＰ通信装置は、
通信相手の音声通信装置の電話番号に対応付けて、当該音声通信装置を収容するＶｏＩＰ通信装置のＩＰアドレスを一以上記憶する対応記憶手段
を備え、
前記ＶｏＩＰ通信装置が、
自身が収容する音声通信装置から発呼を受け付けた場合に、当該呼の発信先番号に対応付けられているＩＰアドレスを前記対応記憶手段内で特定し、
特定したＩＰアドレスが複数存在する場合には、当該複数のＩＰアドレスの中でいずれか１つを選択し、選択したＩＰアドレスに対応する他のＶｏＩＰ通信装置へ、ＩＰパケットを用いて呼制御メッセージを送信し、当該他のＶｏＩＰ通信装置によって呼の接続が拒否された場合に、当該複数のＩＰアドレスの中で未選択のＩＰアドレスを１つ選択し、再び、選択したＩＰアドレスに対応するさらに他のＶｏＩＰ通信装置へ、ＩＰパケットを用いて呼制御メッセージを送信する処理を、当該複数のＩＰアドレスに対応する全ての他のＶｏＩＰ通信装置に呼制御メッセージを送信するか、または、他のＶｏＩＰ通信装置によって呼の接続が許可されるまで繰り返すスライド発信処理を実行し、
前記スライド発信処理の間、発信元の音声通信装置に対して、スライド発信処理中であることを示す音声信号を送出する呼制御ステップ
を実行することを特徴とする呼制御方法。
【発明の詳細な説明】
【０００１】
【発明の属する技術分野】
本発明は、ＩＰ（Internet Protocol）網を介して音声通信を実現するＶｏＩＰ（Voice over IP）における呼制御技術に関し、特に、呼の発信先番号に複数のＶｏＩＰ通信装置のＩＰアドレスが対応付けられている場合における発信制御技術に関する。
【０００２】
【従来の技術】
インターネット電話システムなどの、ＩＰ網を介して音声通信を実現するＶｏＩＰ通信システムが提案されている。
【０００３】
従来のＶｏＩＰ通信システムでは、発呼側の音声通信装置を収容するＶｏＩＰ通信装置が、呼の発信先番号をＩＰアドレスに変換し、このＩＰアドレスを持つＶｏＩＰ通信装置（着呼側の音声通信装置を収容するＶｏＩＰ通信装置）と、ＩＰパケットを用いて呼制御メッセージを送受し呼制御手順を行なうか、あるいは、発呼側の音声通信装置を収容するＶｏＩＰ通信装置を管理するゲートキーパ装置が、このＶｏＩＰ通信装置より呼の発信先番号を受け取ってＩＰアドレスに変換し、このＩＰアドレスを持つＶｏＩＰ通信装置（着呼側の音声通信装置を収容するＶｏＩＰ通信装置）と、ＩＰパケットを用いて呼制御メッセージを送受し呼制御手順を行なうことにより、呼を接続している。
【０００４】
【発明が解決しようとする課題】
ところで、呼の発信先番号に対応するＩＰアドレスつまりＶｏＩＰ通信装置が複数存在するような場合がある。例えば、発信先番号がＰＢＸ（Private Branch Exchange）に与えられた特番（代表番号）であり、複数のＶｏＩＰ通信装置がこのＰＢＸを収容しているような場合である。
【０００５】
このような場合、従来のＶｏＩＰ通信システムでは、発呼側の音声通信装置を収容するＶｏＩＰ通信装置、あるいは、このＶｏＩＰ通信装置を管理するゲートキーパ装置が、発信先番号に対応する複数のＩＰアドレスのなかから任意の１つを選択し、選択したＩＰアドレスを持つＶｏＩＰ通信装置との間で、ＩＰパケットを用いて呼制御メッセージを送受し呼制御手順を行なっている。そして、前記呼制御手順にて、前記ＩＰアドレスを持つＶｏＩＰ通信装置に呼の接続を拒否された場合（例えば、前記ＩＰアドレスを持つＶｏＩＰ通信装置より解放完了メッセージが送られてきた場合）は、話中処理を行なっている。これでは、発信先番号に対応する他のＩＰアドレスを持つＶｏＩＰ通信装置が通信可能であっても、呼を接続することができない。
【０００６】
本発明は上記事情に鑑みてなされたものであり、本発明の目的は、同じ発信先番号に対応するＩＰアドレスを持つＶｏＩＰ通信装置が複数存在する場合に、呼を接続できる可能性を高めることにある。
【０００７】
【課題を解決するための手段】
上記課題を解決するために、本発明のＶｏＩＰ通信装置、あるいは、ＶｏＩＰ通信装置を管理するゲートキーパ装置は、
ＶｏＩＰ通信装置のＩＰアドレスと、当該ＶｏＩＰ通信装置が収容する音声通信装置の番号との対応関係を記憶する対応記憶手段と、
自身が収容する音声通信装置より呼が着信すると、あるいは、自身が管理するＶｏＩＰ通信装置より発信先番号を格納したＩＰパケットを受信すると、前記対応記憶手段にて発信先番号に対応付けられているＩＰアドレスを持つＶｏＩＰ通信装置との間で、ＩＰパケットを用いて呼制御メッセージを送受することにより呼制御手順を行なう呼制御手段と、を備える。
【０００８】
そして、前記呼制御手段は、
前記発信先番号に対応するＩＰアドレスが前記対応記憶手段に複数存在する場合に、この複数のＩＰアドレスのうちのいずれか１つを選択し、選択したＩＰアドレスを持つＶｏＩＰ通信装置との間で前記呼制御手順を行なうと共に、前記呼制御手順にて、前記ＩＰアドレスを持つＶｏＩＰ通信装置に呼の接続を拒否されたときには、前記複数のＩＰアドレスのうちの他のいずれか１つを新たに選択し、この新たに選択したＩＰアドレスを持つＶｏＩＰ通信装置との間で前記呼制御手順を行なう処理（スライド発信処理と呼ぶ）を実行する。
【０００９】
本発明によれば、発信先番号に対応するＩＰアドレスを持つＶｏＩＰ通信装置が複数存在する場合において、呼制御手順を行なったＶｏＩＰ通信装置が通信不能である場合は、前記スライド発信処理により、自動的に他のＶｏＩＰ通信装置と呼制御手順を行なう。したがって、呼を接続できる可能性が高まる。
【００１０】
なお、本発明において、前記呼制御手段に、前記発信先番号に対応するＩＰアドレスが前記対応記憶手段に複数存在する場合、この複数のＩＰアドレス各々を持つ複数のＶｏＩＰ通信装置に対して、予め定められた順番に従い、呼の接続を許可するＶｏＩＰ通信装置が出現するまで前記スライド発信処理を繰り返させるようにしてもよい。そして、前記複数のＶｏＩＰ通信装置の全てに対して前記呼制御手順を行なったけれども、前記複数のＶｏＩＰ通信装置の全てに呼の接続を拒否された場合に、自身が収容する音声通信装置に対して話中処理を行なうか、あるいは、自身が管理するＶｏＩＰ通信装置に対して話中であることを示す音信号を格納したＩＰパケットを送出するようにしてもよい。
【００１１】
このようにすれば、呼を接続できる可能性がさらに高まる。
【００１２】
また、本発明において、前記呼制御手段に、前記スライド発信処理において、呼の接続可否の応答待ち状態が終了するまでの期間中、発呼側の音声通信装置において無音状態が続くことにより、発呼側の音声通信装置のユーザが異常が発生したものと間違って認識しないようにするために、自身が収容する音声通信装置（発呼側の音声通信装置）に対して、スライド発信処理中であることを示す音信号を送出するか、あるいは、自身が管理するＶｏＩＰ通信装置（発呼側の音声通信装置を収容するＶｏＩＰ通信装置）に対して、スライド発信処理中であることを示す信号を格納したＩＰパケットを送出するようにしてもよい。
【００１３】
【発明の実施の形態】
以下、本発明の実施の形態について説明する。
【００１４】
まず、本発明の第１実施形態について説明する。
【００１５】
図１は、本発明の第１実施形態が適用されたＶｏＩＰ通信システムの概略構成図である。
【００１６】
図において、音声端末である電話機５１を収容するＶｏＩＰ通信端末４１は、ＬＡＮ（Local Area Network）２１およびルータ３１を介して、ＩＰ網１に接続されている。音声端末である電話機５２を収容するＶｏＩＰ通信端末４２は、ＬＡＮ２２およびルータ３２を介して、ＩＰ網１に接続されている。そして、音声端末であるＰＢＸ５３を収容するＶｏＩＰ通信端末４３〜４６は、ＬＡＮ２３およびルータ３３を介して、ＩＰ網１に接続されている。
【００１７】
ここで、ＶｏＩＰ通信端末４１のＩＰアドレスは自身が収容する電話機５１の電話番号に対応付けられ、ＶｏＩＰ通信端末４２のＩＰアドレスは自身が収容する電話機５１の電話番号に対応付けられ、そして、ＶｏＩＰ通信端末４３〜４６各々のＩＰアドレスは、自身が収容するＰＢＸ５３の同じ電話番号（特番、いわゆる代表番号）に対応付けられている。
【００１８】
上記のような構成において、ＶｏＩＰ通信端末４１〜４６（以下、単にＶｏＩＰ通信端末４とも称する）は、ルータ３１〜３３（以下、単にルータ３とも称する）およびＬＡＮ２１〜２３（以下、単にＬＡＮ２とも称する）を介して、ＩＰ網１より呼設定メッセージを格納した自装置宛のＩＰパケットを受け取ると、このＩＰパケットの送信元ＶｏＩＰ通信端末４との間で、ＩＰパケットを用いて呼制御メッセージを送受することにより呼制御手順（例えば、ＩＴＵ-ＴのＨ．３２３の規格に順じた呼制御手順）を行なう。これにより、呼を接続して、自身が収容する音声端末５および前記送信元ＶｏＩＰ通信端末４が収容する音声端末５間の音声通話路を確立する。
【００１９】
また、ＶｏＩＰ通信端末４は、自身が収容する音声端末５より着呼すると、ＬＡＮ２、ルータ３およびＩＰ網１を介して、この呼の発信先番号に対応するＩＰアドレスを持つＶｏＩＰ通信端末４との間で、ＩＰパケットを用いて呼制御メッセージを送受することにより呼制御手順を行なう。これにより、呼を接続して、自身が収容する音声端末５および発信先番号により特定される音声端末５間の音声通話路を確立する。ここで、発呼側の音声端末５を収容するＶｏＩＰ通信端末４は、呼の発信先番号に対応するＩＰアドレスを持つＶｏＩＰ通信端末４が複数存在する場合（図１において、発信先番号がＰＢＸ５３の特番である場合）、後述するスライド発信処理を行なって、この複数のＶｏＩＰ通信端末４のうち、通信可能状態にあるＶｏＩＰ通信端末４に呼を接続する。
【００２０】
次に、ＶｏＩＰ通信端末４について、さらに詳細に説明する。
【００２１】
なお、図１に示すＶｏＩＰ通信システムのその他の構成要素は、既存技術により実現可能であるので、説明を省略する。
【００２２】
図２は、ＶｏＩＰ通信端末４の概略構成図である。
【００２３】
図において、音声端末ＩＦ部４０４は、音声端末４を接続するためのものであり、音声端末４が採用するインターフェースに従って処理を行なう。これにより、音声端末４およびＩＰパケット処理部４０６間の音声データの中継を行なう。
また、音声端末ＩＦ部４０４は、音声端末４より送られてきた呼制御に関連する情報を検出して、呼制御部４０１に通知する。
【００２４】
ＬＡＮＩＦ部４０５は、ＬＡＮ２を接続するためのものであり、ＬＡＮ２が採用するインターフェースに従って処理を行なう。これにより、ＬＡＮ２およびＩＰパケット処理部４０６間のＩＰパケットの中継を行なう。
【００２５】
ＩＰパケット処理部４０６は、呼制御部４０１よりの指示に従い、音声端末ＩＦ部４０４より送られてきた音声データおよび呼制御部４０１より送られてきた呼制御メッセージを、呼制御部４０１より通知されたＩＰアドレスを宛先とするＩＰパケットに変換して、ＬＡＮＩＦ部４０５へ送る。また、ＬＡＮＩＦ部４０５より送られてきた自身のＶｏＩＰ通信端末４宛のＩＰパケットからデータを抽出し、このデータを、呼制御部４０１よりの指示に従い、音声端末ＩＦ部４０４あるいは呼制御部４０１へ送る。
【００２６】
対応記憶部４０３には、図３に示すように、電話番号４０３１と、この電話番号を持つ音声端末５を収容するＶｏＩＰ通信端末４のＩＰアドレス４０３２との対応関係が記憶されている。ここで、前回接続先ＩＰアドレス４０３３は、電話番号４０３１ａのように複数のＩＰアドレス４０３２が対応付けられている場合（図１において、電話番号がＰＢＸ５３の特番である場合）に、この電話番号を持つ音声端末への呼の接続に前回利用したＶｏＩＰ通信端末４のＩＰアドレス４０３２である。このＩＰアドレス４０３２に対応するフィールドに、チェックが入れられている。
【００２７】
トーン生成部４０２は、呼制御部４０１よりの指示に従って各種トーン信号を生成し、音声端末ＩＦ部４０４を介して音声端末５に、生成したトーン信号を送出する。
【００２８】
そして、呼制御部４０１は、図４に示すフローに従って処理を行うことにより、呼を接続して、自身のＶｏＩＰ通信端末４が収容する音声端末５および通信相手のＶｏＩＰ通信端末４間の音声通話路を確立する。
【００２９】
すなわち、呼制御部４０１は、ＬＡＮＩＦ部４０５およびＩＰパケット処理部４０６を介して呼が着信すると（Ｓ４００１）、この呼を送信した発呼側のＶｏＩＰ通信端末４との間で、ＩＰパケットを用いて各種の呼制御メッセージを送受することにより、呼制御手順を開始する（Ｓ４００２）。
【００３０】
すなわち、呼制御手順に従い、ＬＡＮＩＦ部４０５およびＩＰパケット処理部４０６を介して発呼側のＶｏＩＰ通信端末４より受け取った、各種の呼制御メッセージに応じた処理を行なう。そして、必要に応じて、各種呼制御メッセージをＩＰパケット処理部４０６でＩＰパケット化し、ＬＡＮＩＦ部４０５を介して発呼側のＶｏＩＰ通信端末４へ送信したり、トーン生成部４０２で生成した各種トーン信号を音声端末ＩＦ部４０４を介して音声端末５へ送信したりする。
【００３１】
以上の呼制御手順により、呼が確立すると、呼制御部４０１は、ＩＰパケット処理部４０６を制御する。そして、音声端末ＩＦ４０４、ＩＰパケット処理部４０６およびＬＡＮＩＦ部４０５を介して、自身のＶｏＩＰ通信端末４が収容する音声端末５と発呼側のＶｏＩＰ通信端末４との間で送受される、音声データの中継を開始する。
【００３２】
また、呼制御部４０１は、音声端末ＩＦ部４０４を介して、自身のＶｏＩＰ通信端末４が収容する音声端末５よりの発呼を認識すると（Ｓ４００３）、対応記憶部４０３を参照して、この呼の発信先番号に対応付けられている着呼側のＶｏＩＰ通信端末４のＩＰアドレス４０３２を特定する（Ｓ４００４）。
【００３３】
そして、この呼の発信先番号に対応付けられている着呼側のＶｏＩＰ通信端末４のＩＰアドレス４０３２が１つならば（Ｓ４００５）、呼制御部４０１は、このＩＰアドレス４０３２を持つ着呼側のＶｏＩＰ通信端末４との間で、ＩＰパケットを用いて各種呼制御メッセージを送受することにより、呼制御手順を開始する（Ｓ４００６）。
【００３４】
すなわち、呼制御手順に従い、各種呼制御メッセージをＩＰパケット処理部４０６でＩＰパケット化し、ＬＡＮＩＦ部４０５を介して前記ＩＰアドレス４０３２を持つ着呼側のＶｏＩＰ通信端末４へ送信する。また、ＬＡＮＩＦ部４０５およびＩＰパケット処理部４０６を介して、前記ＩＰアドレス４０３２を持つ着呼側のＶｏＩＰ通信端末４より受け取った、各種呼制御メッセージに応じた処理を行なう。さらに、必要に応じて、トーン生成部４０２で生成した各種トーン信号を音声端末ＩＦ部４０４を介して音声端末５へ送信する。
【００３５】
以上の呼制御手順により、呼が確立すると、呼制御部４０１は、ＩＰパケット処理部４０６を制御する。そして、音声端末ＩＦ４０４、ＩＰパケット処理部４０６およびＬＡＮＩＦ部４０５を介して、自身のＶｏＩＰ通信端末４が収容する音声端末５と着呼側のＶｏＩＰ通信端末４との間で送受される、音声データの中継を開始する。
【００３６】
一方、Ｓ４００５において、前記発信先番号に対応付けられている着呼側のＶｏＩＰ通信端末４のＩＰアドレス４０３２が複数あるならば、呼制御部４０１は、スライド発信処理を行なう（Ｓ４００７〜Ｓ４０１７）。
【００３７】
すなわち、前記発信先番号に対応付けられている複数のＩＰアドレス４０３２のうち、予め定められた順番（例えば、対応記憶部４０３への登録順番）上、前回接続先ＩＰアドレス４０３３の次に位置するＩＰアドレス４０３２を選択する（Ｓ４００７）。そして、選択したＩＰアドレス４０３２を持つ着呼側のＶｏＩＰ通信端末４との間で、Ｓ４００６と同様の要領により、呼制御手順を開始する（Ｓ４００８）。
【００３８】
ここで、前記選択したＩＰアドレス４０３２を持つ着呼側のＶｏＩＰ通信端末４より、呼の接続を拒否する旨のメッセージ（例えば解放完了メッセージ）が送られてきたならば（Ｓ４００９）、呼制御部４０１は、トーン生成部４０２を制御して、スライド発信処理中であることを示すトーン（スライド中音）信号を生成させ、音声端末ＩＦ部４０４を介して音声端末５に送信する（Ｓ４０１０）。これと共に、前記複数のＩＰアドレス４０３２のうち、前記予め定められた順番上、前記選択したＩＰアドレス４０３２の次に位置するＩＰアドレス４０３２を新たに選択し（Ｓ４０１１）、前記新たに選択したＩＰアドレス４０３２を持つ着呼側のＶｏＩＰ通信端末４との間で、Ｓ４００６と同様の要領により、呼制御手順を開始する（Ｓ４０１２）。
【００３９】
ここで、前記新たに選択したＩＰアドレス４０３２を持つ着呼側のＶｏＩＰ通信端末４より、呼の接続に応答する旨のメッセージ（例えば呼設定受付メッセージ）が送られてきた場合（Ｓ４０１３）、呼制御部４０１は、トーン生成部４０２を制御して、スライド中音信号の生成を停止させる（Ｓ４０１４）。これと共に、対応記憶部４０３の前回接続先ＩＰアドレス４０３３を前記新たに選択したＩＰアドレス４０３２に更新する（Ｓ４０１５）。
【００４０】
一方、前記新たに選択したＩＰアドレス４０３２を持つ着呼側のＶｏＩＰ通信端末４より、呼の接続を拒否する旨のメッセージが送られてきた場合（Ｓ４０１３）、呼制御部４０１は、前記発信先番号に対応付けられている複数のＩＰアドレス４０３２の全てを選択したか否かを調べる（Ｓ４０１６）。全てを選択していないならば、Ｓ４０１１に戻って処理を続ける。全てを選択しているならば、トーン生成部４０２を制御して、スライド中音信号の生成を停止させると共に、話中であることを示すトーン（話中音）信号を生成させ、音声端末ＩＦ部４０４を介して音声端末５に送信する（Ｓ４０１７）。
【００４１】
以上のスライド発信処理により、呼の発信先番号に対応付けられているＩＰアドレス４０３２を持つ複数の着呼側のＶｏＩＰ通信端末４のうち、通信可能状態にあるＶｏＩＰ通信端末４に呼を接続する。
【００４２】
次に、上記のスライド発信処理について、図１に示すＶｏＩＰ通信端末４１において、電話機５１より着信した呼の発信先番号がＰＢＸ５３の特番である場合を例にとり説明する。
【００４３】
図５は、図１に示すＶｏＩＰ通信端末４１において、電話機５１より着信した呼の発信先番号がＰＢＸ５３の特番である場合に行なわれるスライド発信処理の動作シーケンスを説明するための図である。
【００４４】
ここでは、ＶｏＩＰ通信端末４３、４４が、呼の接続に使用されており、ＰＢＸ５３との間の通話線に空きがないものとする。また、ＶｏＩＰ通信端末４１の対応記憶部４０３には、ＶｏＩＰ通信端末４３、４４、４５、４６のＩＰアドレス４０３２がこの順番でＰＢＸ５３の電話番号（特番）４０３１に対応付けられて登録されており、且つ、この順番に従いＶｏＩＰ通信端末４を選択してスライド発信処理を行なうものとする。さらに、前回接続先ＩＰアドレス４０３３として、ＶｏＩＰ通信端末４６のＩＰアドレス４０３２にチェックが入れられているものとする。
【００４５】
さて、ＶｏＩＰ通信端末４１は、電話機５１よりＰＢＸ５３の電話番号を発信先番号とする発呼を受けると（Ｓ５００１）、対応記憶部４０３を参照して、この発信先番号に対応付けられているＩＰアドレスを特定する。ここで、発信先番号に対応付けられているＩＰアドレスは複数であるので、スライド発信処理を開始する。
【００４６】
まず、ＶｏＩＰ通信端末４１は、予め定められた順番上、前回接続先ＩＰアドレス４０３３の次に位置するＶｏＩＰ通信端末４３のＩＰアドレスを選択し、このＩＰアドレスを宛先とする呼設定メッセージを格納したＩＰパケットをＬＡＮ２１に送出する（Ｓ５００２）。このＩＰパケットは、ルータ３１、ＩＰ網１およびルータ３３を介して、ＶｏＩＰ通信端末４３に到着する。
【００４７】
ＶｏＩＰ通信端末４３は、ＶｏＩＰ通信端末４１より呼設定メッセージを受け取ると、ＰＢＸ５３との間の通話線に空きがないため、ＶｏＩＰ通信端末４１のＩＰアドレスを宛先とする解放完了メッセージを格納したＩＰパケットを、ＬＡＮ２３に送出する（Ｓ５００３）。このＩＰパケットは、ルータ３３、ＩＰ網１およびルータ３１を介して、ＶｏＩＰ通信端末４１に到着する。
【００４８】
ＶｏＩＰ通信端末４１は、ＶｏＩＰ通信端末４３より解放完了メッセージを受け取ると、スライド中音信号の電話機５１への送出を開始する（Ｓ５００４）。
また、前記予め定められた順番上、ＶｏＩＰ通信端末４３のＩＰアドレスの次に位置するＶｏＩＰ通信端末４４のＩＰアドレスを選択し、このＩＰアドレスを宛先とする呼設定メッセージを格納したＩＰパケットを、ＬＡＮ２１に送出する（Ｓ５００５）。
【００４９】
ＶｏＩＰ通信端末４４は、ＶｏＩＰ通信端末４１より呼設定メッセージを受け取ると、ＰＢＸ５３との間の通話線に空きがないため、ＶｏＩＰ通信端末４１のＩＰアドレスを宛先とする解放完了メッセージを格納したＩＰパケットを、ＬＡＮ２３に送出する（Ｓ５００６）。
【００５０】
ＶｏＩＰ通信端末４１は、ＶｏＩＰ通信端末４４より解放完了メッセージを受け取ると、前記順番上、ＶｏＩＰ通信端末４４のＩＰアドレスの次に位置するＶｏＩＰ通信端末４５のＩＰアドレスを選択し、このＩＰアドレスを宛先とする呼設定メッセージを格納したＩＰパケットを、ＬＡＮ２１に送出する（Ｓ５００７）。
【００５１】
さて、ＶｏＩＰ通信端末４５は、ＶｏＩＰ通信端末４１より呼設定メッセージを受け取ると、ＰＢＸ５３との間の通話線に空きがあるため、ＰＢＸ５３が採用するインターフェースに従って呼設定メッセージをＰＢＸ５３に送出する（Ｓ５００８）。そして、ＰＢＸ５３より呼設定受付メッセージを受け取ると（Ｓ５００９）、呼設定受付メッセージを格納したＩＰパケットを、ＬＡＮ２３に送出する（Ｓ５０１０）。
【００５２】
また、ＰＢＸ５３は呼設定メッセージを送出した後、呼出メッセージをＶｏＩＰ通信端末４５に送出し（Ｓ５０１１）、ＶｏＩＰ通信端末４５は、これを受けて、ＶｏＩＰ通信端末４１のＩＰアドレスを宛先とする呼出メッセージを格納したＩＰパケットを、ＬＡＮ２３に送出する（Ｓ５０１２）。
【００５３】
すると、これを受けたＶｏＩＰ通信端末４１は、スライド中音信号の電話機５１への送出を停止する（Ｓ５０１３）。
【００５４】
次に、ＶｏＩＰ通信端末４５は、ＰＢＸ５３より送られてくるリングバックトーンをＩＰパケット化して、ＶｏＩＰ通信端末４１へ送出する。あるいは、リングバックトーンの鳴動メッセージを生成し、これをＩＰパケット化して、ＶｏＩＰ通信端末４１へ送出する。ＶｏＩＰ通信端末４１は、ＶｏＩＰ通信端末４５より送られてきたリングバックトーンを電話機５１へ送出する。あるいは、リングバックトーンの鳴動メッセージに従い、リングバックトーンを生成して、電話機５１へ送出する（Ｓ５０１４）。
【００５５】
それから、ＶｏＩＰ通信端末４５は、ＰＢＸ５３より応答メッセージを受け取ると（Ｓ５０１５）、ＶｏＩＰ通信端末４１のＩＰアドレスを宛先とする呼設定受付メッセージを格納したＩＰパケットを、ＬＡＮ２３に送出する（Ｓ５０１６）。これにより、ＶｏＩＰ通信端末４１およびＶｏＩＰ通信端末４５間の呼が接続され、電話機５１およびＰＢＸ５３間の通話が可能となる（Ｓ５０１７）。
【００５６】
以上、本発明の第１実施形態について説明した。
【００５７】
本実施形態のＶｏＩＰ通信端末４では、自身が収容する音声端末５より着信した呼の発信先番号に対応するＩＰアドレスを持つＶｏＩＰ通信端末４が複数存在する場合において、呼制御手順を行なったＶｏＩＰ通信端末４が通信不能である場合、上述のスライド発信処理により、自動的に他のＶｏＩＰ通信端末４と呼制御手順を行なう。そして、予め定められた順番に従い、呼の接続に応答するＶｏＩＰ通信端末４が出現するまで、上記のスライド発信処理を繰り返す。この複数のＶｏＩＰ通信端末４の全てが呼の接続を拒否する場合は、自身が収容する音声端末５に対して、話中であること示すトーン信号を送出することで話中処理を行なう。したがって、同じ発信先番号に対応するＩＰアドレスを持つＶｏＩＰ通信装置が複数存在する場合に、呼を接続できる可能性が高まる。
【００５８】
また、本実施形態のＶｏＩＰ通信端末４では、上記のスライド発信処理において、自身が収容する音声端末（発呼側の音声端末５）に対して、スライド発信処理中であることを示すトーン信号を送出するようにしている。したがって、上記のスライド発信処理において、呼の接続に対する可否を示すメッセージの待ち状態が終了するまでの期間中、発呼側の音声端末５において無音状態が続くことにより、発呼側の音声端末５のユーザが異常が発生したものと間違って認識してしまうのを防ぐことができる。
【００５９】
また、本実施形態のＶｏＩＰ通信端末４では、自身が収容する音声端末５より着信した呼の発信先番号に対応するＩＰアドレスを持つＶｏＩＰ通信端末４が複数存在する場合、対応記憶部４０３において、前記発信先番号に対応付けられて登録されている前回接続先ＩＰアドレス４０３３の次のＩＰアドレスを、最初に選択するＩＰアドレスとして、前記スライド発信処理を行なうようにしている。
このようにすれば、各ＶｏＩＰ通信端末４が、同じタイミングで同じ発信先番号を持つ呼を処理する可能性は極めて低いので、この同じ発信先番号に対応するＩＰアドレスを持つ複数のＶｏＩＰ通信端末４において、いずれかのＶｏＩＰ通信端末４に呼制御手順のたの負荷が集中するのを防ぐことができる。
【００６０】
次に、本発明の第２実施形態について説明する。
【００６１】
上記の第１実施形態では、発呼側の音声端末５を収容するＶｏＩＰ通信端末４が、呼の発信先番号をＩＰアドレスに変換し、このＩＰアドレスを持つ着呼側のＶｏＩＰ通信端末４と、ＩＰパケットを用いて呼制御メッセージを送受して呼制御手順を行なうタイプのＶｏＩＰ通信システムに、本発明を適用した場合を例にとり説明した。
【００６２】
これに対し、本実施形態では、発呼側の音声端末を収容するＶｏＩＰ通信装置を管理するゲートキーパ装置が、このＶｏＩＰ通信装置より呼の発信先番号を受け取ってＩＰアドレスに変換し、このＩＰアドレスを持つ着呼側のＶｏＩＰ通信装置と、ＩＰパケットを用いて呼制御メッセージを送受して呼制御手順を行なうタイプのＶｏＩＰ通信システムに、本発明を適用している。
【００６３】
図６は、本発明の第２実施形態が適用されたＶｏＩＰ通信システムの概略構成図である。ここで、図１に示す第１実施形態のものと同じ機能を有するものには、同じ符号を付している。
【００６４】
本実施形態のＶｏＩＰ通信システムでは、ＬＡＮ２１に、ＶｏＩＰ通信端末４１に代えてＶｏＩＰ通信端末４１’が接続されている。ＬＡＮ２１には、ＶｏＩＰ通信端末４１’を管理するゲートキーパ装置６が接続されている。なお、ＶｏＩＰ通信端末４１’は、図２に示すＶｏＩＰ通信端末４から、呼制御部４０１および対応記憶部４０３を省略した構成を有している。
【００６５】
図７は、ゲートキーパ装置６の概略構成図である。
【００６６】
図において、ＬＡＮＩＦ部６０５は、ＬＡＮ２を接続するためのものであり、ＬＡＮ２が採用するインターフェースに従って処理を行なう。これにより、ＬＡＮ２およびＩＰパケット処理部６０６間のＩＰパケットの中継を行なう。
【００６７】
ＩＰパケット処理部６０６は、呼制御部６０１より受け取った呼制御メッセージあるいはトーン生成部６０２より受け取ったトーン信号を、呼制御部６０１より通知されたＩＰアドレスを宛先とするＩＰパケットに格納して、ＬＡＮＩＦ部６０５へ送る。また、ＩＰパケット処理部６０６は、ＬＡＮＩＦ部６０５より送られてきたゲートキーパ装置６宛のＩＰパケットからデータを抽出して、呼制御部６０１へ通知する。但し、ＩＰパケットの送信元に応じて定まる宛先のＩＰアドレスが呼制御部６０１より通知されているならば、このＩＰパケットの宛先を、呼制御部６０１より通知されている、このＩＰパケットの送信元に応じて定まるＩＰアドレスに変換して、ＬＡＮＩＦ部６０５へ送る。
【００６８】
対応記憶部６０３には、図３に示す対応記憶部４０３と同様に、電話番号４０３１と、この電話番号を持つ音声端末５を収容するＶｏＩＰ通信端末のＩＰアドレス４０３２との対応関係が記憶されている。加えて、対応記憶部６０３には、ゲートキーパ装置６が管理するＶｏＩＰ通信端末４１’のＩＰアドレス４０３２を特定できるように、このＩＰアドレス４０３２にフラグが立てられている。
【００６９】
そして、呼制御部６０１は、図８に示すフローに従って処理を行うことにより、呼を接続して、自身が管理するＶｏＩＰ通信端末４１’が収容する電話機５１および通信相手のＶｏＩＰ通信端末４間の音声通話路を確立する。
【００７０】
すなわち、呼制御部６０１は、ＬＡＮＩＦ部６０５およびＩＰパケット処理部６０６を介して発呼を認識すると（Ｓ８００１）、対応記憶部６０３とこの呼を格納していたＩＰパケットの送信元アドレスとを用いて、発呼側のＶｏＩＰ通信端末が、ゲートキーパ装置６が管理するＶｏＩＰ通信端末（図６に示す例ではＶｏＩＰ通信端末４１’）であるか否かを調べる（Ｓ８００２）。
【００７１】
そして、Ｓ８００２において、発呼側のＶｏＩＰ通信端末がゲートキーパ装置６が管理するＶｏＩＰ通信端末でないならば、前記発信先番号に対応付けられている、ゲートキーパ装置６が管理する着呼側のＶｏＩＰ通信端末（図６に示す例ではＶｏＩＰ通信端末４１’）のＩＰアドレス４０３２を特定し（Ｓ８００３）、ゲートキーパ装置６が管理する着呼側のＶｏＩＰ通信端末４１’と発呼側のＶｏＩＰ通信端末（図６に示す例ではＶｏＩＰ通信端末４２〜４６のいずれか）との間で、ＩＰパケットを用いて各種の呼制御メッセージを送受することにより、呼制御手順を開始する（Ｓ８００３）。
【００７２】
すなわち、呼制御手順に従い、ＬＡＮＩＦ部６０５およびＩＰパケット処理部６０６を介して発呼側のＶｏＩＰ通信端末４より受け取った、各種呼制御メッセージに応じた処理を行なう。そして、必要に応じて、各種呼制御メッセージをＩＰパケット処理部６０６でＩＰパケット化し、ＬＡＮＩＦ部６０５を介して発呼側のＶｏＩＰ通信端末４へ送信したり、トーン生成部６０２で生成した各種トーン信号をＩＰパケット処理部６０６でＩＰパケット化し、ＬＡＮＩＦ部６０５を介してゲートキーパ装置６が管理する着呼側のＶｏＩＰ通信端末４１’へ送信したりする。
【００７３】
以上の呼制御手順により、呼が確立すると、呼制御部６０１は、ＩＰパケット処理部６０６を制御して、ＩＰパケット処理部６０６に、発呼側のＶｏＩＰ通信端末４のＩＰアドレスを送信元アドレスとするＩＰパケットの宛先を、ゲートキーパ装置６のアドレスから、ゲートキーパ装置６が管理する着呼側のＶｏＩＰ通信端末４１’のアドレスに変換し、且つ、ゲートキーパ装置６が管理するＶｏＩＰ通信端末４１’のＩＰアドレスを送信元アドレスとするＩＰパケットの宛先を、ゲートキーパ装置６のアドレスから、発呼側のＶｏＩＰ通信端末４のアドレスに変換するように処理させる。これにより、ＩＰパケット処理部６０６を介した音声データの中継を開始する。
【００７４】
一方、Ｓ８００２において、発呼側のＶｏＩＰ通信端末が、ゲートキーパ装置６が管理するＶｏＩＰ通信端末４１’であるならば、対応記憶部６０３を参照して、前記発信先番号に対応付けられている着呼側のＶｏＩＰ通信端末４のＩＰアドレス４０３２を特定する（Ｓ８００４）。
【００７５】
そして、前記発信先番号に対応付けられている着呼側のＶｏＩＰ通信端末４のＩＰアドレス４０３２が１つならば（Ｓ８００５）、呼制御部６０１は、このＩＰアドレス４０３２を持つ着呼側のＶｏＩＰ通信端末４との間で、ＩＰパケットを用いて各種の各種の呼制御メッセージを送受することにより、呼制御手順を開始する（Ｓ８００６）。
【００７６】
すなわち、呼制御手順に従い、各種呼制御メッセージをＩＰパケット処理部６０６でＩＰパケット化し、ＬＡＮＩＦ部６０５を介して前記ＩＰアドレス４０３２を持つ着呼側のＶｏＩＰ通信端末４へ送信する。また、ＬＡＮＩＦ部６０５およびＩＰパケット処理部６０６を介して前記ＩＰアドレス４０３２を持つ着呼側のＶｏＩＰ通信端末４より受け取った、各種呼制御メッセージに応じた処理を行なう。さらに、必要に応じて、トーン生成部６０２で生成した各種トーン信号をＩＰパケット処理部６０６でＩＰパケット化し、ＬＡＮＩＦ部６０５を介してゲートキーパ装置６が管理する発呼側のＶｏＩＰ通信端末４１’へ送信する。
【００７７】
以上の呼制御手順により、呼が確立すると、呼制御部６０１は、ＩＰパケット処理部６０６を制御して、ＩＰパケット処理部６０６に、ゲートキーパ装置６が管理する発呼側のＶｏＩＰ通信端末４１’のＩＰアドレスを送信元アドレスとするＩＰパケットの宛先を、ゲートキーパ装置６のアドレスから、前記発信先番号に対応付けられている着呼側のＶｏＩＰ通信端末４のアドレスに変換し、且つ、前記発信先番号に対応付けられている着呼側のＶｏＩＰ通信端末４のＩＰアドレスを送信元アドレスとするＩＰパケットの宛先を、ゲートキーパ装置６のアドレスから、ゲートキーパ装置６が管理する発呼側のＶｏＩＰ通信端末４１’のアドレスに変換するように処理させる。これにより、ＩＰパケット処理部６０６を介した音声データの中継を開始する。
【００７８】
一方、Ｓ８００５において、前記発信先番号に対応付けられている着呼側のＶｏＩＰ通信端末４のＩＰアドレス４０３２が複数あるならば、呼制御部６０１は、スライド発信処理を行なう（Ｓ８００７〜Ｓ８０１７）。
【００７９】
すなわち、前記発信先番号に対応付けられている複数のＩＰアドレス４０３２のうち、予め定められた順番上、前回接続先ＩＰアドレス４０３３の次に位置するＩＰアドレス４０３２を選択する（Ｓ８００７）。そして、選択したＩＰアドレス４０３２を持つ着呼側のＶｏＩＰ通信端末４との間で、Ｓ８００６と同様の要領により、呼制御手順を開始する（Ｓ８００８）。
【００８０】
ここで、前記選択したＩＰアドレス４０３２を持つ着呼側のＶｏＩＰ通信端末４より、呼の接続を拒否する旨のメッセージが送られてきたならば（Ｓ８００９）、呼制御部６０１は、スライド中音送出メッセージをＶｏＩＰ通信端末４１’に送出し（Ｓ８０１０）、ＶｏＩＰ通信端末４１’のトーン生成部４０２にスライド中音信号を生成させて、これを音声端末５１に送出させる。
【００８１】
これと共に、前記複数のＩＰアドレス４０３２のうち、前記予め定められた順番上、前記選択したＩＰアドレス４０３２の次に位置するＩＰアドレス４０３２を新たに選択し（Ｓ８０１１）、前記新たに選択したＩＰアドレス４０３２を持つ着呼側のＶｏＩＰ通信端末４との間で、Ｓ８００６と同様の要領により、呼制御手順を開始する（Ｓ８０１２）。
【００８２】
ここで、前記新たに選択したＩＰアドレス４０３２を持つ着呼側のＶｏＩＰ通信端末４より、呼の接続に応答する旨のメッセージが送られてきた場合（Ｓ８０１３）、呼制御部６０１は、スライド中音停止メッセージをＶｏＩＰ通信端末４１’に送出し（Ｓ８０１４）、ＶｏＩＰ通信端末４１’のトーン生成部４０２が生成し、音声端末５１に送出していたスライド中音信号を停止させる。これと共に、対応記憶部６０３の前回接続先ＩＰアドレス４０３３を、前記新たに選択したＩＰアドレス４０３２に更新する（Ｓ８０１５）。
【００８３】
一方、前記新たに選択したＩＰアドレス４０３２を持つ着呼側のＶｏＩＰ通信端末４より、呼の接続を拒否する旨のメッセージが送られてきた場合（Ｓ８０１３）、呼制御部６０１は、前記発信先番号に対応付けられている複数のＩＰアドレス４０３２の全てを選択したか否かを調べる（Ｓ８０１６）。全てを選択していないならば、Ｓ８０１１に戻って処理を続ける。全てを選択しているならば、処理を終了する。
【００８４】
以上のスライド発信処理により、呼の発信先番号に対応付けられているＩＰアドレス４０３２を持つ複数の着呼側のＶｏＩＰ通信端末４のうち、通信可能状態にあるＶｏＩＰ通信端末４に呼を接続する。
【００８５】
次に、上記のスライド発信処理について、図６に示すＶｏＩＰ通信端末４１’において、電話機５１より着信した呼の発信先番号がＰＢＸ５３の特番である場合を例にとり説明する。
【００８６】
図９は、図６に示すＶｏＩＰ通信端末４１’において、電話機５１より着信した呼の発信先番号がＰＢＸ５３の特番である場合に行なわれるスライド発信処理の動作シーケンスを説明するための図である。
【００８７】
ここでは、図５に示す場合と同様に、ＶｏＩＰ通信端末４３、４４が、呼の接続に使用されており、ＰＢＸ５３との間の通話線に空きがないものとする。また、ＶｏＩＰ通信端末４１’の対応記憶部６０３には、ＶｏＩＰ通信端末４３、４４、４５、４６のＩＰアドレス４０３２がこの順番でＰＢＸ５３の電話番号（特番）４０３１に対応付けられて登録されており、且つ、この順番に従いＶｏＩＰ通信端末４を選択しスライド発信処理を行なうものとする。さらに、前回接続先ＩＰアドレス４０３３として、ＶｏＩＰ通信端末４６のＩＰアドレス４０３２にチェックが入れられているものとする。
【００８８】
図９に示す動作シーケンスにおいて、図５に示す動作シーケンスと基本的に異なる点は、図５においてＶｏＩＰ通信端末４１が行なっていて処理を、図８ではゲートキーパ装置６が行なって点である。したがって、図８においてＶｏＩＰ通信端末４１’は、電話機５１およびゲートキーパ装置６間を中継する処理のみを行なうことになる。
【００８９】
さて、ＶｏＩＰ通信端末４１’は、電話機５１よりＰＢＸ５３の電話番号を発信先番号とする発呼を受けると（Ｓ９００１）、当該電話番号を含む発呼メッセージをゲートキーパ装置６に送出する（Ｓ９００２）。すると、ゲートキーパ装置６は、対応記憶部６０３を参照して、この発信先番号に対応付けられているＩＰアドレスを特定する。ここで、発信先番号に対応付けられているＩＰアドレスは複数であるので、スライド発信処理を開始する。
【００９０】
まず、ゲートキーパ装置６は、予め定められた順番上、前回接続先ＩＰアドレス４０３３の次に位置するＶｏＩＰ通信端末４３のＩＰアドレスを選択し、このＩＰアドレスを宛先とする呼設定メッセージを格納したＩＰパケットをＬＡＮ２１に送出する（Ｓ９００３）。このＩＰパケットは、ルータ３１、ＩＰ網１およびルータ３３を介して、ＶｏＩＰ通信端末４３に到着する。
【００９１】
ＶｏＩＰ通信端末４３は、ＶｏＩＰ通信端末４１より呼設定メッセージを受け取ると、ＰＢＸ５３との間の通話線に空きがないため、ゲートキーパ装置６のＩＰアドレスを宛先とする解放完了メッセージを格納したＩＰパケットを、ＬＡＮ２３に送出する（Ｓ９００４）。このＩＰパケットは、ルータ３３、ＩＰ網１およびルータ３１を介して、ゲートキーパ装置６に到着する。
【００９２】
ゲートキーパ装置６は、ＶｏＩＰ通信端末４３より解放完了メッセージを受け取ると、スライド中音信号の電話機５１への送出を行うため、ＶｏＩＰ通信端末４１’に対して、スライド中音送出メッセージを送出し（Ｓ９００５）、ＶｏＩＰ通信端末４１’のトーン生成部４０２でスライド中音を生成させて、音声端末５１に対するスライド中音の送出を開始させる（Ｓ９００６）。また、前記予め定められた順番上、ＶｏＩＰ通信端末４３のＩＰアドレスの次に位置するＶｏＩＰ通信端末４４のＩＰアドレスを選択し、このＩＰアドレスを宛先とする呼設定メッセージを格納したＩＰパケットを、ＬＡＮ２１に送出する（Ｓ９００７）。
【００９３】
ＶｏＩＰ通信端末４４は、ゲートキーパ装置６より呼設定メッセージを受け取ると、ＰＢＸ５３との間の通話線に空きがないため、ゲートキーパ装置６のＩＰアドレスを宛先とする解放完了メッセージを格納したＩＰパケットを、ＬＡＮ２３に送出する（Ｓ９００８）。
【００９４】
ゲートキーパ装置６は、ＶｏＩＰ通信端末４４より解放完了メッセージを受け取ると、前記順番上、ＶｏＩＰ通信端末４４のＩＰアドレスの次に位置するＶｏＩＰ通信端末４５のＩＰアドレスを選択し、このＩＰアドレスを宛先とする呼設定メッセージを格納したＩＰパケットを、ＬＡＮ２１に送出する（Ｓ９００９）。
【００９５】
さて、ＶｏＩＰ通信端末４５は、ＶｏＩＰ通信端末４１より呼設定メッセージを受け取ると、ＰＢＸ５３との間の通話線に空きがあるため、ＰＢＸ５３が採用するインターフェースに従って呼設定メッセージをＰＢＸ５３に送出する（Ｓ９０１０）。そして、ＰＢＸ５３より呼設定受付メッセージを受け取ると（Ｓ９０１１）、呼設定受付メッセージを格納したＩＰパケットを、ＬＡＮ２３に送出する（Ｓ９０１２）。
【００９６】
また、ＰＢＸ５３は呼設定メッセージを送出した後、呼出メッセージをＶｏＩＰ通信端末４５に送出し（Ｓ９０１３）、ＶｏＩＰ通信端末４５は、これを受けて、ゲートキーパ装置６のＩＰアドレスを宛先とする呼出メッセージを格納したＩＰパケットを、ＬＡＮ２３に送出する（Ｓ９０１４）。
【００９７】
すると、これを受けたＶｏＩＰ通信端末４１は、呼出メッセージをＶｏＩＰ通信端末４１’に送出する（Ｓ９０１５）と共に、ＶｏＩＰ通信端末４１’にスライド中音送出停止メッセージを送出し（Ｓ９０１６）、ＶｏＩＰ通信端末４１’から送出されていたスライド中音信号の電話機５１への送出を停止させる（Ｓ９０１７）。
【００９８】
次に、ＶｏＩＰ通信端末４５は、ＰＢＸ５３より送られてくるリングバックトーンをＩＰパケット化して、ＶｏＩＰ通信端末４１へ送出する。あるいは、リングバックトーンの鳴動メッセージを生成し、これをＩＰパケット化して、ＶｏＩＰ通信端末４１へ送出する。ＶｏＩＰ通信端末４１は、ＶｏＩＰ通信端末４５より送られてきたリングバックトーンを電話機５１へ送出する。あるいは、リングバックトーンの鳴動メッセージに従い、リングバックトーンを生成して、電話機５１へ送出する（Ｓ９０１８）。
【００９９】
それから、ＶｏＩＰ通信端末４５は、ＰＢＸ５３より応答メッセージを受け取ると（Ｓ９０１９）、ゲートキーパ装置６のＩＰアドレスを宛先とする呼設定受付メッセージを格納したＩＰパケットを、ＬＡＮ２３に送出する（Ｓ９０２０）。そして、これを受けたゲートキーパ装置６は、ＶｏＩＰ通信端末４１’に対して応答メッセージを送出し（Ｓ９０２１）、これにより、ＶｏＩＰ通信端末４１’ およびＶｏＩＰ通信端末４５間の呼が接続され、電話機５１およびＰＢＸ５３間の通話が可能となる（Ｓ９０２２）。
【０１００】
以上、本発明の第２実施形態について説明した。
【０１０１】
本実施形態においても、上記の第１実施形態と同様に、同じ発信先番号に対応するＩＰアドレスを持つＶｏＩＰ通信装置が複数存在する場合に、呼を接続できる可能性が高まる。また、上記のスライド発信処理において、呼の接続に対する可否を示すメッセージの待ち状態が終了するまでの期間中、発呼側の音声端末５において無音状態が続くことにより、発呼側の音声端末５のユーザが異常が発生したものと間違って認識してしまうのを防ぐことができる。
【０１０２】
なお、本発明は、上記の各実施形態に限定されるものではなく、その要旨の範囲内で数々の変形が可能である。
【０１０３】
例えば、上記の各実施形態において、ＶｏＩＰ通信端末やゲートキーパ装置は、ＡＳＩＣ（Application Specific Inteｇrated Circuits）、ＦＰＧＡ（Field Programmable Gate Array）などの集積ロジックＩＣによりハード的に実現されるものでもよいし、あるいは、ＤＳＰ（Digital Signal Processor）などの計算機によりソフトウエア的に実現されるものでもよい。
【０１０４】
あるいは、ＣＰＵと、メモリと、ハードディスク等の外部記憶装置と、ＬＡＮ２に接続するためのＬＡＮインターフェースと、音声端末に接続するための音声端末インターフェースと、キーボードやマウス等の入力装置と、ディスプレイ等の出力装置と、ＣＤ-ＲＯＭやＦＤ等の記憶媒体からデータを読み取る読取装置と、これらの各構成要素間を相互接続するバスとを備えた、一般的なコンピュータシステムにおいて、ＣＰＵがメモリ上にロードした所定のプログラムを実行することにより実現できる。なお、この所定のプログラムは、読取装置を介して当該プログラムが記憶された記憶媒体から、あるいは、ＬＡＮインターフェースを介してＬＡＮ２から入手して、直接メモリ上にロードするか、もしくは、一旦、外部記憶装置に格納してから、メモリ上にロードすればよい。
【０１０５】
また、上記の各実施形態では、ＩＰ網を介して音声通話を実現するＶｏＩＰ通信システムに本発明を適用した場合を例にとり説明したが、ＩＰ網以外のパケット網を介して音声通話を実現する通信システムにも本発明は同様に適用できる。
【０１０６】
【発明の効果】
以上説明したように、本発明によれば、同じ発信先番号に対応するＩＰアドレスを持つＶｏＩＰ通信装置が複数存在する場合に、呼を接続できる可能性を高めることができる。
【図面の簡単な説明】
【図１】本発明の第１実施形態が適用されたＶｏＩＰ通信システムの概略図である。
【図２】図１に示すＶｏＩＰ通信端末４１〜４６の概略構成図である。
【図３】図２に示す対応記憶部４０３の登録内容例を示す図である。
【図４】図２に示す呼制御部４０１の動作フローを説明するための図である。
【図５】図１に示すＶｏＩＰ通信端末４１において、電話機５１より着信した呼の発信先番号がＰＢＸ５３の特番である場合に行なわれるスライド発信処理の動作シーケンスを説明するための図である。
【図６】本発明の第２実施形態が適用されたＶｏＩＰ通信システムの概略図である。
【図７】図６に示すゲートキーパ装置６の概略構成図である。
【図８】図８に示す呼制御部６０１の動作フローを説明するための図である。
【図９】図６に示すＶｏＩＰ通信端末４１’において、電話機５１より着信した呼の発信先番号がＰＢＸ５３の特番である場合に行なわれるスライド発信処理の動作シーケンスを説明するための図である。
【符号の説明】
１…ＩＰ網
２１〜２３…ＬＡＮ
３１〜３３…ルータ
４１〜４６、４１’…ＶｏＩＰ通信端末
５１〜５３…音声端末
６…ゲートキーパ装置
４０１、６０１…呼制御部
４０２、６０２…トーン生成部
４０３、６０３…対応記憶部
４０４…音声端末ＩＦ部
４０５、６０５…ＬＡＮＩＦ部
４０６、６０６…パケット処理部
【図１】
0004520666.tif 000002
【図２】
0004520666.tif 000003
【図３】
0004520666.tif 000004
【図４】
0004520666.tif 000005
【図５】
0004520666.tif 000006
【図６】
0004520666.tif 000007
【図７】
0004520666.tif 000008
【図８】
0004520666.tif 000009
【図９】
0004520666.tif 000010